(57)【要約】      （修正有）【課題】消費者が飲料を飲みたいときに、自分の好みによって飲料の濃度や酸度を変更可能であり、飲料に添加剤を添加する必要がなくなる飲料ビンを提供する。【解決手段】飲料ビンは、外ビン１０と、蓋２０と、内ビン３０と、を含む。外ビン１０は、開口１３を有する結合部１１と、第１液体１４を収容する第１収容空間１２と、を有する。蓋２０は、外ビンの結合部１１に結合されており、固定部２３を有する。内ビン３０は、外ビンの第１収容空間を挿通し、底端３１と、蓋の固定部に結合されている開放端３２と、底端と開放端との間に位置する第２収容空間３３と、を有し、第２収容空間が第２液体３４を収容する。外ビンの内部に内ビンを設けることにより、飲料の成分が隔離される。【選択図】図２
0003200526.tif 000002
【実用新案登録請求の範囲】
【請求項１】
開口を有する結合部と、第１液体を収容する第１収容空間と、を有する外ビンと、
前記外ビンの前記結合部に結合されており、固定部を有する蓋と、
前記第１収容空間を挿通し、底端と、前記固定部に結合されている開放端と、前記底端と前記開放端との間に位置する第２収容空間と、を有し、前記第２収容空間が第２液体を収容する内ビンと、
を含むことを特徴とする飲料ビン。
【請求項２】
螺合方式により、前記蓋は前記外ビンの前記結合部に結合されていることを特徴とする、請求項１に記載の飲料ビン。
【請求項３】
前記固定部の内面に内ねじが設けられており、前記内ビンの前記開放端の外面には、前記内ねじと螺合する外ねじが設けられていることを特徴とする、請求項１に記載の飲料ビン。
【請求項４】
前記蓋はリング部を有し、前記固定部は、前記リング部の一端から、前記リング部の延び方向の逆方向へ延びることを特徴とする、請求項１に記載の飲料ビン。
【請求項５】
前記蓋はリング部を有し、前記固定部は、前記リング部の一端から、前記リング部の延び方向と同じ方向へ延びることを特徴とする、請求項１に記載の飲料ビン。
【考案の詳細な説明】
【技術分野】
【０００１】
本考案は、飲料ビンに関する。
【背景技術】
【０００２】
従来、市販されている飲料が収容される飲料ビンが知られている。
【先行技術文献】
【特許文献】
【０００３】
【特許文献１】実行平７−４４６０４号公報
【考案の概要】
【考案が解決しようとする課題】
【０００４】
市販されている飲料は、工場から出荷する前に、全ての成分の液体を混合したため、飲料ビン内の内容物の味が一定である。これにより、消費者は、自分の好みによって飲料の濃度や酸度を変更できない。
また、従来の飲料が予め混合されたため、異なる成分の原料が混合されると変質しやすく、保存期間が短くなる問題があった。このような問題を解決するために、飲料に酸化防止剤、香料及び添加剤を添加する。このように、このような飲料が天然的なものとは言えない。
【０００５】
上記の問題を解決するために、飲料が工場から出荷した後、消費者が自分の好みによって飲料の濃度や酸度を変更可能であり、飲料に酸化防止剤、香料及び添加剤を添加せず、保存期限を増加可能である飲料ビンの研究開発に業者が全力を挙げている。
本考案の目的は、消費者が飲料を飲みたいときに、自分の好みによって飲料の濃度や酸度を変更可能であり、飲料に酸化防止剤、香料及び添加剤を添加する必要がなくなる飲料ビンを提供することにある。
【課題を解決するための手段】
【０００６】
本考案の飲料ビンは、外ビンと、蓋と、内ビンと、を含むことを特徴とする。
外ビンは、開口を有する結合部と、第１液体を収容する第１収容空間と、を有する。
蓋は、外ビンの結合部に結合されており、固定部を有する。
内ビンは、第１収容空間を挿通し、底端と、固定部に結合されている開放端と、底端と開放端との間に位置する第２収容空間と、を有し、第２収容空間が第２液体を収容する。
本考案の飲料ビンは、外ビンの中に内ビンが設けられており、飲料の成分が隔離されるため、飲用時に、ユーザが飲料の濃度を自由に変更可能である。そして、内ビンに鮮度の保持を必要とする液体を収容すると、外ビンの液体の温度が５〜１５℃であるため、内ビンに収容される液体の賞味期限を延ばすことが可能である。
【０００７】
本考案の飲料ビンによると、螺合方式により、蓋は外ビンの結合部に結合されていることを特徴とする。
【０００８】
本考案の飲料ビンによると、固定部の内面に内ねじが設けられており、内ビンの開放端の外面には、内ねじと螺合する外ねじが設けられていることを特徴とする。
【０００９】
本考案の飲料ビンによると、蓋はリング部を有し、固定部は、リング部の一端から、リング部の延び方向の逆方向へ延びることを特徴とする。
【００１０】
本考案の飲料ビンによると、蓋はリング部を有し、固定部は、リング部の一端から、リング部の延び方向と同じ方向へ延びることを特徴とする。
【考案の効果】
【００１１】
本考案の飲料ビンによれば、外ビンの内部に内ビンを設けることにより、飲料の成分が隔離され、消費者が飲料を飲みたいときに、自分の好みによって飲料の濃度や酸度を変更可能であり、飲料に酸化防止剤、香料及び添加剤を添加する必要がなくなるという効果を有する。
【図面の簡単な説明】
【００１２】
【図１】本考案の第１の実施形態に係る飲料ビンを示す外観図である。
【図２】本考案の第１の実施形態に係る飲料ビンを示す断面図である。
【図３】本考案の第２の実施形態に係る飲料ビンを示す外観図である。
【図４】本考案の第２の実施形態に係る飲料ビンを示す断面図である。
【図５】本考案の第３の実施形態に係る飲料ビンを示す断面図である。
【図６】本考案の第４の実施形態に係る飲料ビンを示す断面図である。
【図７】本考案の第５の実施形態に係る飲料ビンを示す断面図である。
【図８】図７における８−８線の断面図である。
【考案を実施するための形態】
【００１３】
以下、本考案の実施の形態を図面に基づいて説明する。本考案の実施形態の図面における各部材の寸法比率は、説明を容易に理解するために示され、実際の比率通りではない。
【００１４】
（第１の実施形態）
図１及び図２を参照する。図１は本考案の第１の実施形態に係る飲料ビンを示す外観図であり、図２は本考案の第１の実施形態に係る飲料ビンを示す断面図である。本実施形態に係る飲料ビンは、外ビン１０と、蓋２０と、内ビン３０と、を含む。
【００１５】
外ビン１０は、その上端に設けられている結合部１１と、第１収容空間１２と、を有する。結合部１１は開口１３を有する。外ビン１０は、ガラス又は樹脂で作製され、腐食性を有しない第１液体１４を収容する。第１液体１４は水でもよい。
【００１６】
蓋２０は、外ビン１０の結合部１１に結合されている。螺合方式により、蓋２０は外ビン１０の結合部１１に結合されていることが好ましい。本実施形態では、蓋２０は、リング部２１を有し、リング部２１の内面にメスねじ２２が設けられており、結合部１１に設けられているオスねじ１１１がメスねじ２２と螺合する。蓋２０は、更に、固定部２３を有する。固定部２３は、リング部２１の一端から、リング部２１の延び方向の逆方向へ延びる。これにより、固定部２３は、外ビン１０から外部に露出する。固定部２３の外径は、リング部２１の外径より小さい。固定部２３は、更に、内ねじ２３１を有する。
【００１７】
内ビン３０は、ガラスで作製され、チューブ状を呈するが、もちろん、本考案はこれらに限定されない。内ビン３０は、第１収容空間１２を挿通し、底端３１と、開放端３２と、底端３１と開放端３２との間に位置する第２収容空間３３と、を有する。第２収容空間３３は第２液体３４を収容する。第２液体３４は、酸性又はアルカリ性を有する液体でもよい。本実施形態では、底端３１が封止される。内ビン３０の開放端３２の外周面に外ねじ３２１が設けられている。外ねじ３２１は、蓋２０の内ねじ２３１と螺合する。これにより、蓋２０に内ビン３０を固定可能であり、そして内ビン３０が外ビン１０に差し込んで第１液体１４に沈む。
【００１８】
これにより、外ビン１０に第１液体１４を充填して、内ビン３０に第２液体３４を充填した後、内ビン３０を、外ビン１０に差し込んで、蓋２０に固定する。このように、飲料ビンには、第１液体１４が充填されている外ビン１０と、第２液体３４を充填されている内ビン３０とが設けられている。飲用する前に、第１液体１４と第２液体３４とが混合しないため、飲料が変質しない。
【００１９】
飲料を飲用したいときには、まず、外ビン１０から蓋２０を取り外して、蓋２０から内ビン３０を取り外して、ユーザの自分の好みによって、適量の第２液体３４を外ビン１０に注入して、第１液体１４と第２液体３４とを混合すると、ユーザの好きな濃度を有する飲料を調製可能である。
【００２０】
（第２の実施形態）
図３及び図４を参照する。図３は本考案の第２の実施形態に係る飲料ビンを示す外観図であり、図４は本考案の第２の実施形態に係る飲料ビンを示す断面図である。
本実施形態が第１の実施形態と相違する点は、蓋２０の固定部２３に穿孔２４が設けられており、穿孔２４が内ビン３０の開放端３２に対応し、コルク栓４０が穿孔２４を経由して内ビン３０に入れて内ビン３０を封止可能であり、コルク栓４０が固定部２３から外部に露出し、係止方式により、内ビン３０の開放端３２が蓋２０の固定部２３に結合されていることにある。
飲料を飲用したいときには、まず、外ビン１０から蓋２０を取り外して、コルク栓４０を取り外す。ユーザの自分の好みによって、適量の第２液体３４を外ビン１０に注入して、第１液体１４と第２液体３４とを混合すると、ユーザの好きな濃度を有する飲料を調製可能である。
【００２１】
（第３の実施形態）
図５を参照する。図５は本考案の第３の実施形態に係る飲料ビンを示す断面図である。
本実施形態が第２の実施形態と相違する点は、内ビン３０の底端３１に毛細管３５が設けられていることにある。
飲料を飲用する前に、まず、コルク栓４０を取り外して、飲料ビンの内外の圧力差によって、第２液体３４が毛細管３５を経由して第１収容空間１２に流入して第１液体１４と混合する。第１液体１４と第２液体３４とが混合すると、ユーザの好きな濃度を有する飲料を調製可能である。蓋２０の固定部２３は、コルク栓４０を取り外した後、ストローとして利用可能であり、混合された飲料を吸い上げて飲むことが可能である。
【００２２】
（第４の実施形態）
図６を参照する。図６は本考案の第４の実施形態に係る飲料ビンを示す断面図である。
本実施形態が第１の実施形態と相違する点は、蓋２０の固定部２３が、リング部２１の一端から、リング部２１の延び方向と同じ方向へ延びることにある。これにより、固定部２３がリング２１の内面に位置し、蓋２０が外ビン１０に結合されているときには、固定部２３が結合部１１の範囲に対応する。
【００２３】
（第５の実施形態）
図７及び図８を参照する。図７は本考案の第５の実施形態に係る飲料ビンを示す断面図であり、図８は図７における８−８線の断面図である。本実施形態では、第４の実施形態と同じ部品に第１の実施形態と同じ符号を付す。
本実施形態が第４の実施形態と相違する点は、外ビン１０がネック部１５を有し、内ビン３０の断面形状が矩形を呈し、内ビン３０の一端が蓋２０にねじ込まれており、外ビン１０の内部に内ビン３０を入れるときに、内ビン３０がネック部１５に係止されることにある。
これにより、外ビン１０から蓋２０を緩めているときに、内ビン３０は、ネック部１５に係止されるため、その外ねじ３２１が蓋２０の内ねじ２３１に対して緩む。このように、外ビン１０から蓋２０を取り外したとき、内ビン３０が蓋２０から分離し、外ビン１０の第１液体１４に落下して、内ビン３０に収容される第２液体３４が第１液体１４と自動的に混合する。
【００２４】
このように、本考案の特定の例を参照して説明したが、それらの例は、説明のためだけのものであり、本考案を限定するものではない。この分野に通常の知識を有する者には、本考案の要旨および実用新案登録請求の範囲を逸脱することなく、ここで開示された実施例に変更、追加、または、削除を施してもよいことがわかる。
【００２５】
本考案は、飲料ビンに適用することができる。
【符号の説明】
【００２６】
１０  外ビン
１１  結合部
１２  第１収容空間
１３  開口
１４  第１液体
１５  ネック部
２０  蓋
２１  リング部
２２  メスねじ
２３  固定部
２４  穿孔
３０  内ビン
３１  底端
３２  開放端
３３  第２収容空間
３４  第２液体
３５  毛細管
４０  コルク栓
１１１  オスねじ
２３１  内ねじ
３２１  外ねじ
【図１】
0003200526.tif 000003
【図２】
0003200526.tif 000004
【図３】
0003200526.tif 000005
【図４】
0003200526.tif 000006
【図５】
0003200526.tif 000007
【図６】
0003200526.tif 000008
【図７】
0003200526.tif 000009
【図８】
0003200526.tif 000010